(57)【要約】      （修正有）【課題】従来は布、シート状のものは電気掃除機の吸い口に密着しあるいは吸い口からホースのなかに吸い込まれ、その上に付着した塵は掃除機により除去することは不可能であった。そこで、吸い口を溝状のものにし、かつ、吸い口の溝を毛糸の筒状の編み物で被うことにより吸引を可能にした。【解決手段】吸い口の頭部（ｂ）の溝と該吸い口の溝を被う毛糸の筒状の編み物が持つ隙間が相乗効果をもたらし、布、シート状のもの、変形物の吸い口への密着を防止し、塵のみを除去することを可能にした。【選択図】  図１
2006239340.tif 000002
【特許請求の範囲】
【請求項１】
溝のある吸入口
【請求項２】
毛糸で編んだ筒状の吸入口被い
【発明の詳細な説明】
【技術分野】
【０００１】この発明は、電機掃除機の吸い口を加工変形し溝のあるものにし、毛糸で編んだ筒状の帽子を被せ、ハタキとして使用可能にしたものである。
【背景技術】
【０００２】従来、電気掃除機は、ハタキ的な用途には不適当であった。
【発明の開示】
【発明が解決しようとする課題】
【０００３】従来の電気掃除機の吸い口にはつぎのような問題点があった。
布、ビニールシート、山積の書類の上に積った塵を吸い取ることが出来ない為、これらの塵は  ハタキによって除去されていた。
本発明は、ハタキ的用途を可能にしたものである。
【課題を解決するための手段】
【０００４】電気掃除機の吸い口を○型の溝のあるもの、あるいは棒状の溝のあるものにし、その溝を毛糸の編み物で筒状の帽子で覆おう。
【発明の効果】
【０００５】電気掃除機の吸い口を布、シート状のもの、変形物に近づけても、毛糸の帽子の編み目及び掃除機の吸い口の溝をとおった吸気は電気掃除機の吸い口と布類を吸い付かせること無く、塵のみを除去し、そのうえ、ハタキのようにほこりをたてません。
【発明を実施するための最良の形態】
【０００６】  以下、本発明の実施例について説明する。
【図１】
頭頂部（ａ）は密閉されている。表面（ｂ）○型の溝を開ける。表面（ｂ）棒状の溝を開ける。
【図２】
裏面（ｃ）は密閉されている。
【図２】
裏面（ｄ）は毛糸の帽子を留めるためのボタンのようなもので、頭部が大きく広がり毛糸の帽子の編み目を掛けるためのものです。
【図３】
毛糸を帽子状に編んだ筒形の編み物で
【図１】
の掃除機の吸い口の溝を被うためのものです。
【図１】
の頭部に
【図３】
の筒状の毛糸の編み物を被せ（ｄ）のボタンで留め、
【図１】
の表面（ｂ）の溝の有る方の面を、塵を除去したい対象物に近づけて使用する。
【図面の簡単な説明】
【０００７】
【図１】は本発明の斜視図である。
【図２】は本発明の斜視図である。
【図３】は本発明の斜視図である。
【符号の説明】
【０００８】    （ａ）  吸い口頭頂部
（ｂ）  吸い口○型溝部分
（ｃ）  吸い口棒状溝部分
（ｄ）  毛糸の帽子状に編んだ筒形の編み物
【図１】
2006239340.tif 000003
【図２】
2006239340.tif 000004
【図３】
2006239340.tif 000005
【手続補正書】
【提出日】平成17年4月28日(2005.4.28)
【手続補正１】
【補正対象書類名】特許請求の範囲
【補正対象項目名】全文
【補正方法】変更
【補正の内容】
【特許請求の範囲】
【請求項１】
上部を閉じた筒の側面に縦に多数の穴を開けた吸入口
【請求項２】
毛糸で編んだ筒状のものの上部を閉じて作った毛糸の編み物の吸入口被い
【手続補正２】
【補正対象書類名】明細書
【補正対象項目名】全文
【補正方法】変更
【補正の内容】
【発明の詳細な説明】
【技術分野】
【０００１】この発明は、電気掃除機の吸入口を加工変形し多数の穴のあるものにし、その吸入口を毛糸の編み物の吸入口被いで被い、ハタキとして使用可能にしたものである。
【背景技術】
【０００２】従来、電気掃除機は、ハタキ的な用途には不適当であった。
【発明の開示】
【発明が解決しようとする課題】
【０００３】従来の電気掃除機の吸入口にはつぎのような問題点があった。
布、ビニールシート、山積の書類の上に積った塵を吸い取ることが出来ない為、これらの塵は  ハタキによって除去されていた。
本発明は、ハタキ的用途を可能にしたものである。
【課題を解決するための手段】
【０００４】電気掃除機の吸入口を多数の○型の穴のあるもの、あるいは多数の棒状の穴のあるものにし、その吸入口を毛糸の編み物の吸入口被いで被う。
【発明の効果】
【０００５】電気掃除機の吸入口を布、シート状のもの、変形物（以下これらのものを「対象物」という）に近づけても、毛糸の編み物の吸入口被いの編み目及び掃除機の吸入口の穴をとおった吸気は対象物を電気掃除機の吸入口に吸い付かせること無く、塵のみを除去し、そのうえ、ハタキのようにほこりをたてません。さらに本発明の最大の効果は対象物との接点が毛糸であるため、ブラシ状の吸入口の最大の欠点である対象物を傷つけたり、引っ掛けたりすることがなく、毛糸の編み物の吸入口被いをクッションとして対象物の硬さ、やわらかさの変化や、形状の変化、材質の変化に対応し、対象物の接地面を保護することです。
【発明を実施するための最良の形態】
【０００６】以下、本発明の実施例について説明する。
〔図１〕吸入口頭頂部（ａ）は閉じられている。  吸入口の穴のある側面〔表面（ｂ）〕に○型の穴を開けるか、又は吸入口の穴のある側面〔表面（ｂ）〕に棒状の穴を開ける。
〔図２〕吸入口の穴のない方の側面〔裏面（ｃ）〕、〔図２〕〔裏面（ｃ）〕の（ｄ）は毛糸の編み物の吸入口被いを留めるためのボタンのようなもので、頭部が大きく広がり毛糸の編み物の吸入口被いの編み目を掛けるためのものです。
〔図３〕毛糸の編み物の吸入口被いで〔図１〕の掃除機の吸入口を被うためのものです。
〔図１〕の吸入口に〔図３〕の毛糸の編み物の吸入口被いを被せ（ｄ）のボタンで留め、〔図１〕の吸入口の穴のある側面〔表面（ｂ）〕を、塵を除去したい対象物に近づけて使用する。
【図面の簡単な説明】
【０００７】
【図１】は本発明の斜視図である。
【図２】は本発明の斜視図である。
【図３】は本発明の斜視図である。
【図４】穴のある吸入口に毛糸の編み物の吸入口被いを被せた状態の全体の斜視図である。
【符号の説明】
【０００８】（ａ）  吸入口頭頂部
（ｂ）  吸入口の穴のある側面（表面）
（ｃ）  吸入口の穴のない側面（裏面）
（ｄ）  毛糸の編み物の吸入口被いを留めるためのボタン
【手続補正３】
【補正対象書類名】図面
【補正対象項目名】図４
【補正方法】追加
【補正の内容】
【図４】
2006239340.tif 000006
【手続補正書】
【提出日】平成17年8月22日(2005.8.22)
【手続補正１】
【補正対象書類名】明細書
【補正対象項目名】全文
【補正方法】変更
【補正の内容】
【発明の詳細な説明】
【技術分野】
【０００１】この発明は、電気掃除機の吸入口を加工変形し多数の穴のあるものにし、その吸入口を毛糸の編み物の吸入口被いで被い、ハタキとして使用可能にしたものである。
【背景技術】
【０００２】従来、電気掃除機は、ハタキ的な用途には不適当であった。
【発明の開示】
【発明が解決しようとする課題】
【０００３】従来の電気掃除機の吸入口にはつぎのような問題点があった。
布、ビニールシート、山積の書類の上に積った塵を吸い取ることが出来ない為、これらの塵はハタキによって除去されていた。
本発明は、ハタキ的用途を可能にしたものである。
【課題を解決するための手段】
【０００４】電気掃除機の吸入口を多数の○型の穴のあるもの、あるいは多数の棒状の穴のあるものにし、その吸入口を毛糸の編み物の吸入口被いで被う。
【発明の効果】
【０００５】電気掃除機の吸入口を布、シート状のもの、変形物（以下これらのものを「対象物」という）に近づけても、毛糸の編み物の吸入口被いの編み目及び掃除機の吸入口の穴をとおった吸気は対象物を電気掃除機の吸入口に吸い付かせること無く、塵のみを除去し、そのうえ、ハタキのようにほこりをたてません。
【発明を実施するための最良の形態】
【０００６】以下、本発明の実施例について説明する。
〔図１〕吸入口頭頂部（ａ）は閉じられている。吸入口の穴のある側面〔表面（ｂ）〕に○型の穴を開けるか、又は吸入口の穴のある側面〔表面（ｂ）〕に棒状の穴を開ける。
〔図２〕吸入口の穴のない方の側面〔裏面（ｃ）〕、〔図２〕〔裏面（ｃ）〕の（ｄ）は毛糸の編み物の吸入口被いを留めるためのボタンのようなもので、頭部が大きく広がり毛糸の編み物の吸入口被いの編み目を掛けるためのものです。
〔図３〕毛糸の編み物の吸入口被いで〔図１〕の掃除機の吸入口を被うためのものです。
〔図１〕の吸入口に〔図３〕の毛糸の編み物の吸入口被いを被せ（ｄ）のボタンで留め、〔図１〕の吸入口の穴のある側面〔表面（ｂ）〕を、塵を除去したい対象物に近づけて使用する。
【図面の簡単な説明】
【０００７】
【図１】は本発明の斜視図である。
【図２】は本発明の斜視図である。
【図３】は本発明の斜視図である。
【符号の説明】
【０００８】（ａ）  吸入口頭頂部
（ｂ）  吸入口の穴のある側面（表面）
（ｃ）  吸入口の穴のない側面（裏面）
（ｄ）  毛糸の編み物の吸入口被いを留めるためのボタン